(57)【要約】【課題】内部で仕掛けが仕掛け保持部から外れても、スライドファスナの操作に影響を与えることのない収納ケースを提供する。【解決手段】収納空間Ｓを備えた本体２と、収納空間内に配設され、針部５１を備えた仕掛け５０を保持する仕掛け保持部１０と、本体２に設けられ、収納空間Ｓを開放／閉塞するスライドファスナ５と、を有する収納ケースにおいて、仕掛け保持部１０に保持した仕掛け５０が外れた際、その針部５１のスライドファスナ５への引っ掛かりを防止する防止部材２０が、スライドファスナ５を覆うように配設されていることを特徴とする。【選択図】  図２
2019004713.tif 000002
【特許請求の範囲】
【請求項１】
収納空間を備えた本体と、前記収納空間内に配設され、針部を備えた仕掛けを保持する仕掛け保持部と、前記本体に設けられ、前記収納空間を開放／閉塞するスライドファスナと、を有する収納ケースにおいて、
前記仕掛け保持部に保持した仕掛けが外れた際、その針部の前記スライドファスナへの引っ掛かりを防止する防止部材が、前記スライドファスナを覆うように配設されていることを特徴とする収納ケース。
【請求項２】
前記防止部材は、前記スライドファスナのファスナテープ裏面に止着されるテープ部材であることを特徴とする請求項１に記載の収納ケース。
【請求項３】
前記防止部材は、前記スライドファスナのファスナテープ裏面に止着される硬質プレートであることを特徴とする請求項１に記載の収納ケース。
【請求項４】
前記防止部材は、前記スライドファスナの連結エレメントを覆うように設けられていることを特徴とする請求項２又は３に記載の収納ケース。
【請求項５】
前記防止部材は、前記スライドファスナのファスナテープの裏面と一体化される樹脂被膜であることを特徴とする請求項１に記載の収納ケース。
【発明の詳細な説明】
【技術分野】
【０００１】
本発明は、釣りに際して携行される収納ケースに関し、詳細には、ルアー等、針部を備えた仕掛けを収納する収納ケースに関する。
【背景技術】
【０００２】
従来、例えば、特許文献１，２に開示されているように、ルアー等、針部を備えた仕掛けを複数個収納して携行する収納ケースが知られている。このような収納ケースは、見開き状に構成されて折り重ねられる本体と、本体の周縁部に設けられたスライドファスナとを有しており、前記スライドファスナは、一般的に知られているように、本体の周縁部に対して縫着等によって止着されるファスナテープと、ファスナテープの長手方向に沿って設けられ、互いに噛み合うことができる連結エレメント（務歯とも称される）と、前記連結エレメントを結合／離反させるスライダとを備え、スライダを指で摘まんで操作することで、収納ケースの内部を開放したり閉塞するように構成されている。
【０００３】
前記収納ケース内には、前記仕掛けを保持する仕掛け保持部が設けられており、例えば、特許文献１に開示された収納ケース内には、収納する仕掛けの針部を差し込めるように、柔軟性のある多孔質シートが設けられている。また、特許文献２に開示された収納ケース内には、仕掛けを個別に出し入れできる複数の収納部が設けられている。或いは、収納ケースの内部に磁石を配設して、仕掛けの針を吸着して仕掛けを保持するものも知られている。
【先行技術文献】
【特許文献】
【０００４】
【特許文献１】特開２００５−２７８５５５号
【特許文献２】特開２００８−１１７２３号
【発明の概要】
【発明が解決しようとする課題】
【０００５】
上記した収納ケースは、携行されることから、内部に収納した仕掛けが仕掛け保持部から外れてしまい、その針部がスライドファスナのファスナテープに引っ掛かることがある。前記ファスナテープは、布（繊維）等、針部が引っ掛かる素材を基材として形成されていることから、針部の引っ掛かり具合によっては、スライダを操作しても収納ケースが開放できなくなったり、ファスナテープから針部が飛び出すといった不都合が生じる。
【０００６】
本発明は、上記した問題に着目してなされたものであり、内部で仕掛けが仕掛け保持部から外れても、スライドファスナの操作に影響を与えることのない収納ケースを提供することを目的とする。
【課題を解決するための手段】
【０００７】
上記した目的を達成するために、本発明に係る収納ケースは、収納空間を備えた本体と、前記収納空間内に配設され、針部を備えた仕掛けを保持する仕掛け保持部と、前記本体に設けられ、前記収納空間を開放／閉塞するスライドファスナと、を有しており、前記仕掛け保持部に保持した仕掛けが外れた際、その針部の前記スライドファスナへの引っ掛かりを防止する防止部材が、前記スライドファスナを覆うように配設されていることを特徴とする。
【０００８】
上記した構成の収納ケースでは、携行中等において、仕掛け保持部に保持されている仕掛けが外れてしまっても、その針部は、前記防止部材によって、スライドファスナ部分に引っ掛かる（刺し込む）ことが防止される。このため、収容空間を開放する際に、スライドファスナのスライダを摘まんで操作しても、その操作が阻害されることはなく、仕掛け取り出しに支障をきたすことはない。また、針部が刺し込まれないことから、その針部が収納ケースの外部に露出することもなく、他物への引っ掛かり等が生じることもない。
【発明の効果】
【０００９】
本発明によれば、内部で仕掛けが仕掛け保持部から外れても、スライドファスナの操作に影響を与えることのない収納ケースが得られる。
【図面の簡単な説明】
【００１０】
【図１】本発明に係る収納ケースの一実施形態を示す図であり、閉じた状態を示す図。
【図２】図１に示す収納ケースを開いた状態を示す図。
【図３】仕掛け保持部を示す拡大図。
【図４】仕掛け保持部から仕掛けが外れた状態を示す図。
【図５】（ａ）は、図２に示すスライドファスナ部分の連結構造の一実施例を示す図であり、（ｂ）〜（ｄ）は、スライドファスナ部分の連結構造の別の実施例を示す図。
【発明を実施するための形態】
【００１１】
図１〜図５（ａ）は、本発明に係る収納ケースの一実施形態を示す図であり、図１は、閉じた状態を示す図、図２は、開いた状態を示す図、図３は、仕掛け保持部を示す拡大図、図４は、仕掛け保持部から仕掛けが外れた状態を示す図、そして、図５（ａ）は、スライドファスナ部分の連結構造を示す図である。
【００１２】
本実施形態の収納ケース１は、見開き状に構成されており、本体２は矩形形状に構成され、その背部２Ａで折り返された構造となっている。本体２の素材は特に限定されることはなく、皮、合成皮革、布等、柔軟性のある素材、或いは、保形性のある硬質の素材で構成したり、そのような硬質なプレートを柔軟な素材に組み込むことによって構成することが可能である。また、折り重なった本体２の対向する縁部には、スライドファスナ５が縫着、接着等によって止着されている。
【００１３】
スライドファスナ５は、背部２Ａを除く領域に止着されており、一般的に知られているように、折り重なる本体の一方の縁部に亘って止着されるファスナテープ６と、本体の他方の縁部に亘って止着されるファスナテープ７と、各ファスナテープ６，７の夫々に長手方向に沿って設けられる連結エレメント（務歯）６ａ，７ａと、指で摘まんで操作され、連結エレメント６ａ，７ａを結合／離反させる２個（１個でもよい）のスライダ８とを備えている。前記ファスナテープ６，７は、その幅がいわゆるマチとなって、本体２の対向する内面間に収納空間Ｓを規定する機能を果たしており、ファスナテープ６，７の幅が広い程、収納空間Ｓの厚さを大きく確保することが可能となる。なお、折り重なる本体の縁部に、互いに近接するように屈曲部を形成しておき、この屈曲部の端部にファスナテープを止着しても収納空間Ｓの厚さを大きく確保することが可能である。
【００１４】
上記したスライドファスナ５によれば、いずれかのスライダ８を指で摘まんで開放操作することで、折り重なる本体２の三方を離反して収納空間Ｓが開放され、後述する仕掛けを取り出すことが可能となる。また、スライダ８を摘まんで閉塞操作することで、折り重なる本体２の三方を結合して収納空間Ｓを閉塞することが可能となる。
【００１５】
本実施形態の連結エレメント６ａ，７ａは、公知のように、コイル状の樹脂で形成されており（このため樹脂ファスナとも称される）、ファスナテープ６，７に対して縫着糸６ｂ，７ｂによって止着されている。また、前記ファスナテープ６，７は、繊維等によって編成された汎用性のある素材（そのままでは仕掛けの針部が刺し込まれるような素材）で構成されている。
【００１６】
前記収納空間Ｓ内には、針部５１を備えた仕掛け（ルアー）５０を保持する仕掛け保持部１０が設けられている。本実施形態の仕掛け保持部１０は、前記本体２の折り重なる部分の対向面のそれぞれに、一定の肉厚を持って止着される柔軟性を有する多孔質のシート（例えば、合成樹脂発泡材やクロロプレンゴムなど）によって構成されており、仕掛け５０の針部５１を刺し込んで、複数の仕掛けを保持できるように構成されている。この場合、仕掛け保持部１０の表面に多数の凸部１０ａを形成しておくことが好ましく、これにより、図２，図３に示すように、表面から突出する凸部の側面やテーパ面などを利用して針部５１を刺し込み易くできると共に、仕掛けを種類ごとに仕分けして保持し易くすることができる。また、本体２の対向面間には、対向面同士を区分けする仕切り（図示せず）を配設しておいてもよく、そのような仕切りに複数のポケットを形成してもよい。
【００１７】
上記した構成の収納ケース１では、仕掛けを保持した状態で携行した際に、針部５１が仕掛け保持部１０から外れ、図４に示すように、収納空間Ｓ内でフリーになることがあり、従来のスライドファスナの構成では、収納空間に面するいずれかの部分に針部が刺さってしまうことがある。本実施形態では、仕掛け保持部１０に保持した仕掛け５０が外れても、その針部５１がスライドファスナ５へ引っ掛からない（刺し込まれない）ように、引っ掛かりを防止する防止部材２０が、スライドファスナ５を覆うように配設されている。
【００１８】
本実施形態の防止部材２０は、図５（ａ）に示すように、テープ状に形成された部材（テープ部材）を、各ファスナテープ６，７の裏面（収納空間側）に接着等によって止着されることで構成されている。このようなテープ部材（防止部材２０）は、ファスナテープ６，７の素材よりも硬く、針部が刺さらないような素材（例えば、ポリウレタン樹脂、ＥＶＡ樹脂、０．０１〜０．０２ｍｍ程度の薄い金属（アルミ、ステンレス等））によって形成されており、各ファスナテープ６，７の対向位置を覆うように、それぞれの端面２１が突き合わされた状態で止着されていることが好ましい。このような構成は、例えば、連結エレメント６ａ，７ａを連結状態にしておき、その状態でテープ部材を各ファスナテープ６，７の収納空間側に止着して、各ファスナテープ６，７の対向位置の部分をカッタによって切り込むことで製造することが可能である。
【００１９】
このような構成によれば、携行中に仕掛け５０が仕掛け保持部１０から外れても、その針部５１がファスナテープ６，７の表面に引っ掛かることが無いため、スライダ８を摘まんで開放操作しても阻害されることはなく、収容ケースの収納空間を開放することができる。また、図５（ａ）に示すように、テープ部材（防止部材２０）は、互いに端面２１が突き合わされているため、針部５１がファスナテープ６，７の端部領域や連結エレメント６ａ，７ａに引っ掛かることを確実に防止することができる。
【００２０】
図５（ｂ）は、防止部材の第２の実施例を示す図である。
この実施例の防止部材は、スライドファスナ５のファスナテープ６，７の裏面と一体化されるように、その裏面側に樹脂被膜２０ａを被着することで構成されている。樹脂被膜２０ａは、連結エレメント６ａ，７ａが止着されている側と反対側に例えば、ポリウレタン樹脂、フッ素樹脂等を塗布したり、含浸する等して表面加工を施すことで、ファスナテープの表面を覆う膜状に形成することが可能である。このような樹脂被膜は、予めファスナテープ６，７に被着しておいてもよいし、連結エレメントが設けられた後に被着してもよく、ファスナテープと一体化される構成のため、耐久性が良くなる。
【００２１】
図５（ｃ）は、防止部材の第３の実施例を示す図である。
上記したスライドファスナは、連結エレメントをコイル状の樹脂で形成したものを用いていたが、本実施例のスライドファスナ５´は、連結エレメント６ａ´，７ａ´を金属製にしたいわゆる金属ファスナで構成されている。この場合、連結エレメント６ａ´，７ａ´は、長手方向に沿ってファスナテープ６´，７´の端縁を挟持するように連続配設されており、スライダ（図示せず）を操作することで、結合／離反状態にされる。
【００２２】
そして、前記ファスナテープ６´，７´には、図５（ｂ）に示した構成と同様、ファスナテープ６´，７´の裏面と一体化されるように、その裏面側に樹脂被膜２０ａ´を被着することで防止部材を構成している。
このように、スライドファスナを金属ファスナで構成しても、そのファスナテープ６´，７´に樹脂被膜２０ａ´を被着することで、仕掛けの針部の引っ掛かりを防止することができる。
【００２３】
図５（ｄ）は、防止部材の第４の実施例を示す図である。
この実施例のスライドファスナは、図５（ｃ）に示す構成と同様、金属ファスナで構成されており、樹脂、金属等によって構成される板状の部材（硬質プレート）２０ｂをファスナテープに対して縫着糸２２等によって止着することで、連結エレメント６ａ´，７ａ´部分を覆うようにして防止部材を構成している。
このように、防止部材は、連結エレメント部分を覆うように構成しても、スライドファスナ５´に対する針部の引っ掛かりを防止することができる。
【００２４】
なお、このような硬質プレートは、連結エレメント６ａ´，７ａ´だけでなく、ファスナテープ６´，７´を覆うように止着してもよく、このような構成では、収納ケースの厚み方向に保形性を持たせることが可能となる。或いは、図５（ｃ）に示したように、ファスナテープ６´，７´に樹脂被膜２０ａ´を被着し、更に、連結エレメント部分を硬質プレートで覆うように配設してもよい。このような構成では、ファスナテープ全体が覆われることから、仕掛けの針部の引っ掛かりをより確実に防止することができる。
【００２５】
以上、本発明の実施形態について説明したが、本発明は、上記した実施形態に限定されることはなく、種々変形することが可能である。
本発明では、収納ケースの内側のスライドファスナ部分に、仕掛けの針部が引っ掛かったり刺し込むことのない部材を設けたものであればよく、スライドファスナの構成については特に限定されることはない。例えば、樹脂製の連結エレメントをファスナテープに射出成型したタイプのスライドファスナであってもよい。
また、仕掛け保持部１０については、針部を刺し込む以外にも、仕掛け本体を保持するものであってもよいし、磁石を用いて針部を固定するような構成であってもよい。
【００２６】
さらに、上記したスライドファスナ構造については、収納ケース以外にも適用することが可能である。例えば、釣用ベストなどのウエアには、スライドファスナを有するポケットが設けられたものがあり、釣人によっては、針付きの仕掛けをゴミとしてポケットに収納することもある。このように、開口部分にスライドファスナが配設されたポケットを有する各種のウエアにおいても、図５に示したようなスライドファスナを覆う防止部材２０，２０ａ，２０ａ´，２０ｂを配設しておけば、その収納部内で、針部がスライドファスナ部分に引っ掛かることが防止され、スライドファスナが開かなくなる等の不具合が生じることはない。
【符号の説明】
【００２７】
１  収納ケース
２  本体
５  スライドファスナ
６，７、６´，７´  ファスナテープ
６ａ，７ａ、６ａ´，７ａ´  連結エレメント
８  スライダ
１０  仕掛け保持部
２０，２０ａ，２０ａ´，２０ｂ  防止部材
５０  仕掛け
５１  針部
Ｓ  収納空間
【図１】
2019004713.tif 000003
【図２】
2019004713.tif 000004
【図３】
2019004713.tif 000005
【図４】
2019004713.tif 000006
【図５】
2019004713.tif 000007